(57)【要約】【課題】  ハンドルコック式水栓だけでなくシングルレバー式水栓にも共用可能な節水具及び節水装置の提供。【解決手段】  それぞれ１又は複数の通水孔（２ａ，２ｂ，３ａ）を設けた少なくとも２つの調整部（２，３）を円筒部（１ｃ）内に形成する。この２つの調整部（２，３）の存在により、水流量を絞ること（節水）のみならず、干渉／緩衝作用による水流の調整を図ることができる。また、水流量の段階的絞り込みによるスムーズな流量調整を図ることもできる。これにより、この節水具（１）は水流出口に設置するタイプの節水具として使用するのに適する。また、適用する水栓のタイプ又は流路の途中若しくは出口といった配置場所の相違など、その用途に応じて、水流方向に対する上下の向きを適宜反転して使用することができるようになる。【選択図】        図１（ａ）
2005076273.tif 000002
【特許請求の範囲】
【請求項１】
円筒部（１ｃ）と、
前記円筒部（１ｃ）内に形成された少なくとも２つの水流調整部（２，３）であって、各調整部（２，３）には１又は複数の通水孔（２ａ，２ｂ，３ａ）が設けられているものと、
前記円筒部（１ｃ）の一端部（１ｂ）にて外向きに突出する突出部（４）と
を具備する節水具（１）。
【請求項２】
前記各調整部（２，３）は、前記円筒部（１ｃ）の両端部（１ａ，１ｂ）よりも内部寄りの個所に形成されていることを特徴とする請求項１に記載の節水具。
【請求項３】
前記突出部（４）寄りに形成される前記調整部（３）には少なくとも１個の通水孔（３ａ）が設けられており、それとは反対端寄りに形成される前記調整部（２）には少なくとも２個の通水孔（２ａ，２ｂ）が設けられている請求項１又は２に記載の節水具。
【請求項４】
前記突出部（４）を水流出口寄りに位置させて配置し、前記節水具（１）を水流出口に設置するタイプの節水具として用いることを特徴とする請求項１乃至３のいずれかに記載の節水具（１）。
【請求項５】
請求項４に記載の節水具（１）と、
前記節水具（１）で流量調整された水流を減圧し整流する整流手段（５）と、
上記節水具（１）及び整流手段（５）を水流出口に着脱可能に固定する固定手段（Ｃ）と
を具備することを特徴とする水流出口に設置するタイプの節水装置。
【請求項６】
前記整流手段（５）は、前記節水具（１）で流量調整された水流を受圧して通過させる受圧部（５ａ）と、該受圧部（５ａ）から出る水流を出口面積に略均等に振り分けるよう複数の通水孔を略均等に設けてなる均等板（５ｂ，５ｃ）とを含む請求項５に記載の節水装置。
【請求項７】
前記受圧部（５ａ）は、前記節水具（１）の前記フランジ部（４）寄りの端部から前記円筒部（１ｃ）の内部に延びて、前記調整部（２，３）の通水孔（２ａ，２ｂ，３ａ）から出る水流を受圧し、かつ通過させる構造からなる請求項６に記載の節水装置。
【請求項８】
前記節水具（１）における少なくとも１つの前記調整部（３）の前記通水孔（３ａ）のサイズを調整することにより、流量を調節する請求項５乃至７のいずれかに記載の節水装置。
【請求項９】
前記突出部（４）を水流上流寄り、前記円筒部（１ｃ）の他端部（１ａ）を水流下流寄りに位置させた配置で、流路の途中の所定個所に前記突出部（４）を介した係合により前記節水具（１）を設置し、前記円筒部（１ｃ）内の前記調整部（２，３）から出た水流が前記円筒部（１ｃ）の内壁にて整流されることを特徴とする請求項１乃至３のいずれかに記載の節水具（１）。
【請求項１０】
水流出口側の流路内に設置される流量調整手段（１）と、
前記流量調整手段（１）で流量調整された水流を減圧し整流する整流手段（５）であって、前記流量調整手段（１）で流量調整された水流を受圧して通過させる受圧部（５ａ）と、該受圧部（５ａ）から出る水流を蛇口出口面積に略均等に振り分けるよう複数の通水孔を略均等に設けてなる均等板（５ｂ，５ｃ）とを含むものと、
上記流量調整手段（１）及び整流手段（５）を水流出口に着脱可能に固定する固定手段（Ｃ）と
を具備することを特徴とする水流出口に設置するタイプの節水装置。
【請求項１１】
水流出口側の流路内に設置される流量調整手段（１）と、
前記流量調整手段（１）で流量調整された水流を蛇口出口面積に略均等に振り分けるよう複数の通水孔を略均等に設けてなる均等板（５ｂ，５ｃ）を複数枚重ねてなるものと、
上記流量調整手段（１）及び均等板（５ｂ，５ｃ）を水流出口に着脱可能に固定する固定手段（Ｃ）と
を具備することを特徴とする水流出口に設置するタイプの節水装置。
【請求項１２】
前記均等板（５ｂ，５ｃ）は、周縁リム部と、複数の通水孔を略均等に設けてなる多孔板部とで構成され、該周縁リム部の上面は該多孔板部の上面よりも高く、これにより、取付状態において該多孔板部の略全域に対応する空間が該周縁リム部によって囲まれて形成され、該空間を介して水流が多孔板部の略全域に広がることを可能にすることを特徴とする請求項１１に記載の節水装置。
【請求項１３】
蛇口出口にリング状キャップねじ（Ｃ）を介して着脱可能に取り付けられる水流調整板（５ｂ，５ｃ）であって、周縁リム部と、多数の通水孔を蛇口出口面積略全域にわたって略均等に設けてなる多孔板部とを備え、該周縁リム部の上面は該多孔板部の上面よりも高く、これにより、取付状態において該多孔板部の略全域に対応する空間が該周縁リム部によって囲まれて形成され、該空間を介して水流が多孔板部の略全域に広がることを可能にし、蛇口出口面積の略全域に広がって吐出されるよう水流を調整することを特徴とする水流調整板。
【発明の詳細な説明】
【技術分野】
【０００１】
この発明は、水栓からの吐水流量を調整することによって節水効果を得ることのできる節水具及び節水装置に関し、特にハンドルコック式の水栓だけでなくシングルレバー式の水栓にも共用することのできるようにしたことに関する。
【背景技術】
【０００２】
一般家庭やレストランあるいはホテル等における調理場、洗面所、浴室等において調理や洗浄や入浴などのために水やお湯を使用する際、使用者は手動式の回転可能なハンドルコックを操作することによって単水栓や湯水混合栓等の自在水栓から流れ出る水やお湯などの吐水流量（吐出量）を調整することができるようになっている。すなわち、使用者によるハンドルコックの回転量に応じて前記水栓の弁開度が変わり、それに従い水栓から流れ出る水やお湯などの吐水流量が変化する。また、浴室などに設備されるシャワーにおいても、湯水混合栓から分岐したホースの根元に設けられたハンドルコックの操作によって吐水流量を調整できるようになっているのが一般的である。このようなハンドルコック式の水栓やシャワー設備では、従来から節水を図るために当該水栓出口とスパウト内との結合部や、ホースとシャワーヘッドとの結合部などに節水具を組み込むことが行われている。こうした節水具としては、例えば下記に示す特許文献１、２に開示されている節水具（節水コマ）などが従来から知られている。下記公報に記載の節水具やその他の従来知られた節水具においては、水栓本体やシャワーヘッドの内部流量を節水具内部に設けた孔で絞ることにより、水栓の弁開度にほぼ比例する吐水流量を前記孔の大きさにより調整して節水を行うようにしている。
【特許文献１】実開昭59-158794号公報
【特許文献２】実開昭60-21089号公報
【０００３】
ところで、最近では一般家庭やレストランあるいはホテルなどにおいて、レバーの上下動に応じて水栓の弁開度を変えることのできる、つまり使用者がレバーを上げ下げするだけで水栓からの吐水流量を変えることのできるようにした所謂シングルレバー式（又はワンタッチレバー式とも呼ぶ）の水栓が普及してきている。こうしたシングルレバー式の水栓においては、僅かなレバー操作が行われただけで急激に吐水流量が変化してしまう。そのため、使用者が必要とする水量に調節するためにはレバーの微調整を行わなければならずこうした操作は面倒であること、特に幼児や高齢者等の使用者にとってはこうしたレバー操作が非常に難しいこと、などからついつい水を出し過ぎた状態のままで使用してしまうことが多い。そこで、シングルレバー式の水栓においてはこうした水の出し過ぎを防止するために予め元栓を絞っておくという方法が考えられるが、こうした方法を採用すると使用者の使用感が失われるだけでなく、建物全体における水圧が落ちてしまい建物の至る場所で水の出が悪くなってしまうことが生じることから、こうした方法は実用的とは言えず採用できないものである。そこで、シングルレバー式の水栓に適した節水具が望まれるが、上述したような従来知られた節水具は水栓出口とその先のスパウトとの結合部に節水具を組み込む形式のものであったため、シングルレバー式の水栓にそれらの節水具をそのまま適用することはできなかった。すなわち、仮に従来公知の節水具を単純にシングルレバー式水栓の出口に組み込めるような何らかの構造を工夫したとしても、それだけでは単に水量を調整できるだけにすぎず、日常的に使い易い、滑らかな吐出流を生じさせるものとはならない。このように、シングルレバー式の水栓に適した節水具は従来なかったために、シングルレバー式の水栓に対して節水を施すことは非常に難しい、という問題点があった。同様の問題点はシングルレバー式水栓に限らず、水流吐出口に節水具を設けるタイプのすべての節水具において存在する。
【発明の開示】
【発明が解決しようとする課題】
【０００４】
本発明は上述の点に鑑みてなされたもので、節水を施すことのできるようにシングルレバー式の水栓に対して取り付けるのに適した節水具を提供しようとするものである。また、水流吐出口に設置するタイプの節水具及び節水装置の改良を図ることを目的とする。また、ハンドルコック式の水栓に対する節水具のように、水流路の途中に取り付け配置するのにも適した節水具を提供しようとするものである。すなわち、シングルレバー式水栓及びハンドルコック式水栓など、適用する水栓のタイプ、又は流路の途中若しくは出口といった配置場所の相違など、その用途に応じて、水流方向に対する上下の向きを適宜反転して使用できる節水具を提供しようとするものである。
【課題を解決するための手段】
【０００５】
参考として添付図における参照番号を括弧付きで引用すると、本発明に係る節水具（１）は、円筒部（１ｃ）と、前記円筒部（１ｃ）内に形成された少なくとも２つの水流調整部（２，３）であって、各調整部（２，３）には１又は複数の通水孔（２ａ，２ｂ，３ａ）が設けられているものと、前記円筒部（１ｃ）の一端部（１ｂ）にて外向きに突出する突出部（４）とを具備する。
【０００６】
それぞれ１又は複数の通水孔（２ａ，２ｂ，３ａ）を設けた少なくとも２つの調整部（２，３）の存在により、水流量を絞ること（節水）のみならず、干渉／緩衝作用による水流の調整を図ることができる。また、水流量の段階的絞り込みによるスムーズな流量調整を図ることもできる。これにより、この節水具（１）が、水流出口に設置するタイプの節水具として使用するのに適したものとなっている。また、この節水具（１）を、適用する水栓のタイプ又は流路の途中若しくは出口といった配置場所の相違など、その用途に応じて、水流方向に対する上下の向きを適宜反転して使用することを行えるものとしている。
一般に、シングルレバー式（ワンタッチレバー式）の水栓は、水流の途中に節水器を設置するのに適していない。この点、本発明の節水具（１）は、水流出口に設置するタイプの節水具として使用するのに適するので、これをシングルレバー式（ワンタッチレバー式）の水栓の水流出口に設置することで、シングルレバー式（ワンタッチレバー式）の節水具として使用することができる。なお、この節水具（１）を水流出口に設置するタイプの節水具として使用する場合、突出部（４）を水流出口寄りに位置させて配置することで、該節水具（１）を水流出口に係止させ易くなり、ねじ式キャップ等の固定手段（Ｃ）を介した固定を容易に行うことができる。
【０００７】
各調整部（２，３）は、前記円筒部（１ｃ）の両端部（１ａ，１ｂ）よりも内部寄りの個所に形成されていることが好ましい。これにより、円筒部（１ｃ）内において、調整部（２，３）の位置から端部（１ａ，１ｂ）までに或る程度の距離が存在することとなり、この距離分の円筒内側壁が水流ガイド壁となり、整流作用を得ることができる。特に、そのような場合に、水流方向に対する節水具（１）の上下の向きをどちらに設定したとしても、円筒部（１ｃ）内において調整部（２，３）から出た水流は、すぐに円筒部（１ｃ）の端部から出ることなく、端部（１ａ，１ｂ）に至るまでの或る程度の距離だけ存在している内側壁によってガイドされて端部（１ａ，１ｂ）から出る。従って、調整部（２，３）において水流を絞ることによって生じるかもしれない好ましくないジェット流のような急勢な水流が蛇口から出る恐れを軽減することができる。
【０００８】
一例として、突出部（４）寄りに形成される調整部（３）には少なくとも１個の通水孔（３ａ）が設けられており、それとは反対端寄りに形成される調整部（２）には少なくとも２個の通水孔（２ａ，２ｂ）が設けられている。このように通水孔（２ａ，２ｂ，３ａ）の配置が各調整部（２，３）で異なることにより、水流の緩衝を行い易いものとなり、節水効果を得ながら、ソフトな水流を得ることに資する。
【０００９】
本発明の節水具（１）を使用して、水流出口に設置するタイプの節水装置（１０）を構成する場合、必要に応じて、水流を整流化したりソフトにするための手段を付加するとよい。例えば、そのような節水装置（１０）は、上記の節水具（１）と、前記節水具（１）で流量調整された水流を減圧し整流する整流手段（５）と、上記節水具（１）及び整流手段（５）を水流出口に着脱可能に固定する固定手段（Ｃ）とを具備する。一例として、前記整流手段（５）は、前記節水具（１）で流量調整された水流を受圧して通過させる受圧部（５ａ）と、該受圧部（５ａ）から出る水流を出口面積に略均等に振り分けるよう複数の通水孔を略均等に設けてなる均等板（５ｂ，５ｃ）とを含んでいてよい。一例として、前記受圧部（５ａ）は、前記節水具（１）の前記フランジ部（４）寄りの端部から前記円筒部（１ｃ）の内部に延びて、前記調整部（２，３）の通水孔（２ａ，２ｂ，３ａ）から出る水流を受圧し、かつ通過させる構造からなっていてよい。
【発明の効果】
【００１０】
本発明によれば、水流出口に設置し易く、また、水流出口に設置した場合に水量制限と干渉／緩衝作用による水流調整とを実現する構造からなる節水具が提供される、という優れた効果を奏する。これにより、水流出口に設置した場合に、日常的に使い易い性能を持つ、つまり使用感のよい節水具を提供することができることとなり、従来は良いものがなかったシングルレバー式（ワンタッチレバー式）の水栓に適した節水具を提供することができる。さらに、この節水具と、該節水具で調整された水流を減圧し整流する整流手段とを組み合わせることで、水流を整流化したりソフトにすることが促進され、水流出口に設置するのに最適化した節水装置を提供することができる。また、本発明に係る節水具は、水流方向に対する上下の向きをどちらにも設定できるので、シングルレバー式水栓又はハンドルコック式水栓などの適用する水栓のタイプ、又は流路の途中若しくは出口といった配置場所の相違など、その用途に応じて、水流方向に対する上下の向きを適宜反転して使用できる、という優れた効果を奏する。
【発明を実施するための最良の形態】
【００１１】
以下、この発明の実施の形態を添付図面に従って詳細に説明する。
【実施例１】
【００１２】
まず、本発明に係る節水具の一実施形態について、図１を用いて説明する。図１は本発明に係る節水具１の一実施例を示す略図であって、図１（ａ）は同節水具１の全体構造を示す斜視図、図１（ｂ）は同節水具１を水流吐出口側である下面から見た下面図、図１（ｃ）は同節水具１の縦断面図である。
【００１３】
この実施例に示す節水具１の本体は、その両端部１ａ，１ｂが水流の出入り口として開口した円筒部１ｃからなっている。この円筒部１ｃの外部形状は、この節水具１を、シングルレバー式水栓における水やお湯などを吐出する出口である水栓吐出部（蛇口の出口）Ｓに既設されているキャップＣや板状メッシュ部Ｍなどを利用して該水栓吐出部Ｓ内に着脱可能に装着することのできるように（後述する図２参照）、該水栓吐出部Ｓ内部の形状に略フィットする形状に形成されている。勿論、この円筒部１ｃの断面形状は、真円に限ることなく、楕円や面取りされた多角形など、適用する水栓流路の断面に適したものであればよく、要するに円筒部１ｃは概して筒状をなしていればよい。節水具１の一端部１ｂ（図示例では水流吐出口側）には、節水具１の本体円筒（円筒部１ｃ）の径よりも幾分大径のフランジ（突出部）４が一体的に形成されている。このフランジ（突出部）４は、水栓吐出部Ｓの端部に当該節水具１を係止するためのものである。このフランジ（突出部）４は、完全な円形のものに限らず、要するに、係止可能なように、円筒部１ｃから外向きに突出しているものであればよい。また、フランジ４は円筒部１ｃと一体形成される例に限らず、別体からなっていて、ねじ係合等により着脱されるようになっていてもよいし、あるいはゴム等で圧接させて係合する構成であってもよい。
【００１４】
節水具１の円筒部１ｃ内には、通水用の開口を有する隔壁状の２つの水流調整部２，３が形成されている。すなわち、各調整部２，３には１又は複数の通水孔２ａ，２ｂ，３ａがそれぞれ適切な形状、配置及び寸法で開口形成されている。一例として通水孔２ａ，２ｂ，３ａは、円形として図示しているが、円形に限らず適宜の形状であってよく、またその開口面積及び配置は、追って説明するように、所望の節水量及び減圧若しくは緩衝作用が得られるように適宜設計して調整する。また、例えば、調整部２の２つの通水孔２ａ、２ｂは図示例では完全に分離されているが、一部分でつながっているような形状の孔であってもよい。なお、一般的は、ステンレスあるいは真鍮などの耐腐食性金属素材を切削加工することで、所望の構造／形状の円筒部１ｃと調整部２，３（さらにはフランジ４）を一体的に具備する節水具１を製造するのがよいが、これに限らず、適宜の素材及び製造法により節水具１を製造してよい。
【００１５】
円筒部１ｃ内に形成された通水孔（開口）付きの２つの水流調整部２，３は、該調整部２，３が円筒部１ｃ内で２つ存在することによって、水流量を絞る（節水）作用をもたらすのみならず、水流が調整部２，３の開口以外の個所（障害物）に段階的に当たることによる緩衝作用による水流の調整を図ることができ、また、水流量の段階的絞り込みによるスムーズな流量調整を図ることもできる。具体的な作用は、各調整部２，３に設ける各通水孔２ａ，２ｂ，３ａの開口面積及び配置等、及び水流の向きによって異なり得る。
【００１６】
まず、図１（ａ）に示すように、フランジ４とは反対側の端部１ａを水流入口とし、フランジ４側の端部１ｂを水流出口とし、水流の向きが矢印Ｘ方向である場合について説明する。端部１ａ寄りの、つまり上流の、調整部２には２つ（２以上でもよい）の孔２ａ，２ｂが形成されており、端部１ｂ寄りの、つまり下流の、調整部３には１つ（１以上でもよい）の孔３ａが形成されている、上流の調整部２に設けた孔２ａ，２ｂによる合計開口面積の方が、下流の調整部３に設けた孔３ａによる合計開口面積よりも大きいものとする。これによって、水流量の段階的絞り込みがなされ、スムーズな流量調整が行われる。また、上流の調整部２に設けた複数の孔２ａ，２ｂと下流の調整部３に設けた孔３ａとの配置の喰い違いによって、水流が開口以外の個所（障害物）に段階的に当たることにより、干渉／緩衝作用が生じ、水流を調整することができる。これによって、水流の急激な絞り込みにより生ずることが有りうる機械的振動や笛吹き音などの発生を抑止できる。なお、最終的な節水量（絞り量）は、合計開口面積が最も小さい調整部３の通水孔３ａのサイズによって決まるので、所望の節水量（絞り量）が得られるように設計・加工時において適宜調整すればよい。また、調整部３の通水孔３ａに対しては厚さを考慮して調整するとよい。すなわち、絞り量を相対的に大きくすると、水の勢いが相対的に減ぜられて、使用者の使用感を損なうことがあり得る。そこで、絞り孔の厚さを増すとそれに応じて水の勢いが増すことが知られているので、水流出口側の調整部３の通水孔３ａの厚さ（つまり調整部３の厚さ）を適宜の厚み加減に調整することによって、使用者の使用感を損なわないように、調整水流に勢いをつけることができる。
【００１７】
調整部２，３の通水孔２ａ、２ｂ，３ａの口径の大小により節水割合や使用者の使用感などを変えることができるだけでなく、その数を変えることによっても同様の効果が得られる。すなわち、使用者が求める減水量や使用感などに応じて、調整部２，３の構成を決定することができる。例えば、高層ビルやマンションなどにおいて、ビル上層部用として大径（開口面積大）、ビル中層部用として中径（開口面積中）、ビル下層部用として小径（開口面積小）にすれば、高さの違いによる水圧の相違に伴って異なる吐水流量（吐出量）に調整・制御することができる。具体例を挙げると、少吐出量用として、上流の調整部２の通水孔２ａ，２ｂとして直径３ミリの孔を２個、下流の調整部３の通水孔３ａを直径３．２ミリとする例、中吐出量用として、上流の調整部２の通水孔２ａ，２ｂとして直径３ミリの孔を２個、下流の調整部３の通水孔３ａを直径４ミリとする例、大吐出量用として、上流の調整部２の通水孔（２ａ，２ｂ）として直径３ミリの孔を３個、下流の調整部３の通水孔３ａを直径５ミリとする例、などがある。また、円筒部１ｃ内に３個以上の調整部（２，３）を設けてもよい。
【実施例２】
【００１８】
次に、上記節水具１をシングルレバー式水栓の節水装置に適用する実施例について、図２により説明する。図２は、図１に示した節水具１をシングルレバー式水栓の蛇口出口に取り付けるようにした節水装置１０の一実施例を示す断面図である。
【００１９】
シングルレバー式水栓においては、水栓吐出部（蛇口出口）Ｓの外周に雄ネジ、キャップＣの内周に雌ネジがそれぞれ切ってあり、複数枚のメッシュ部ＭをキャップＣと吐出部（蛇口出口）Ｓとの間に挟み込み、キャップＣをネジ廻して締め込むようになっているものがある。図２に示す節水装置１０は、そのようなタイプのシングルレバー式水栓において、上記節水具１をそのフランジ４側の端部１ｂが水流の下流寄りになるように配置し、その円筒部１ｃを該シングルレバー式水栓の水栓吐出部Ｓ内部に嵌め入れ、適宜のパッキンＰを介在させて水栓吐出部Ｓの端部にフランジ４を当接させ、その下流に複数枚のメッシュ部Ｍを配置し、キャップＣをネジ廻して締め込むことで、これら全体をキャップＣと水栓吐出部Ｓの端部との間に挟み込んで固定するようにしたものである。この構成によれば、上述の節水具１にパッキンＰを付加するだけで、既存の蛇口出口にメッシュ部Ｍ及びキャップＣ付きのシングルレバー式水栓に容易に適用できる節水装置１０が提供される。
【実施例３】
【００２０】
上記実施例２の例では、メッシュ部Ｍでは網目が粗過ぎるため、節水具１の下段の通水孔３ａで絞られた水流が、その下流のメッシュ部Ｍであまり干渉されることなく、そのまま通過してしまい、最終的に吐き出される水流が蛇口出口一杯に広がらず、比較的細い流れになりがちである。よって、そのままでは使用者に対して視覚的にその水量の少なさを感じさせてしまうことがある。図３に示す実施例は、そのような不都合を改善できるものである。図３の実施例では、既存のメッシュ部Ｍに代えて、整流手段５を設けたものである。図３（ａ）は、節水具１の下流に設置される整流手段５の一例を示す分解斜視図、（ｂ）は節水具１と整流手段５を含む節水装置１０を水栓吐出部（蛇口出口）Ｓに取り付けた状態の断面図である。
【００２１】
図３に示す節水装置１０は、図１に示した節水具１と、複数の部材からなる整流キット（整流手段）５とを組み合わせて構成される。節水具１については上記実施例１に示した節水具１（図１参照）と同じ構成であるから、ここでの説明は省略する。整流キット５は該節水具１の下流に配置されるものであって、図３（ａ）に示すように、この実施例に示す整流キット５は上から順に受圧部５ａと２枚の均等板５ｂ、５ｃとにより構成される。受圧部５ａは、中央部分が凸状に突出した突出部５ａ０に形成されており、周辺はフランジ部となっている。該受圧部５ａの突出部５ａ０は、節水具１の円筒部１ａ内にフランジ４側から略ぴたりと嵌め込まれるように配置されるようになっており、そのような嵌め込みに適した寸法を持つ。また、該受圧部５ａの突出部５ａ０には、通水孔３ａの直下に位置する中央部を除いて、比較的小さい多数の通水孔が設けられており、これらの通水孔の合計開口面積は、絞り量を決定する調整部３の通水孔３ａの合計開口面積よりも広い。周辺のフランジ部の外径は、節水具１のフランジ４の外径よりも幾分大きく、キャップＣの内径にフィットして嵌り込むサイズである。
【００２２】
受圧部５ａの下流に配置される２枚の均等板５ｂ、５ｃは、比較的小さい多数の通水孔が設けられた多孔板部からなっていて、その周縁のリム部が多孔板部より幾分高い。よって、各均等板５ｂ、５ｃにおける多孔板部は図示のような凹みを成しており、多孔板部の全域にわたる凹みに対応して適宜の空間をそれぞれ存在させている。また、受圧部５ａと同様に、均等板５ｂ、５ｃの外径も、節水具１のフランジ４の外径よりも幾分大きく、キャップＣの内径にフィットして嵌り込むサイズである。各均等板５ｂ、５ｃの通水孔の合計開口面積も、絞り量を決定する調整部３の通水孔３ａの合計開口面積よりも広い。
【００２３】
図３（ｂ）に示すように、上記節水具１をそのフランジ４側の端部１ｂが水流の下流寄りになるように配置し、その円筒部１ｃをシングルレバー式水栓の水栓吐出部Ｓの内部に嵌め入れ、パッキンＰを介在させて水栓吐出部Ｓの端部にフランジ４を当接させ、その下流に受圧部５ａ、均等板５ｂ、５ｃからなる整流キット５を配置し、キャップＣをネジ廻して締め込むことで、これら全体をキャップＣと水栓吐出部Ｓの端部との間に挟み込んで固定する。
【００２４】
上記構成からなる整流キット５の作用について説明する。節水具１の下段の調整部３の通水孔３ａから吐き出された水流は、その直下の受圧部５ａの突出部５ａ０の中央部分に当接する（受圧される）。受圧部５ａの突出部５ａ０の中央部分には通水孔がないので、吐き出された水流は該中央部分に当接して周囲に広がり、その回りにある多数の通水孔を通って落下する。こうして、受圧部５ａの存在により、節水具１において調整された水流が減圧される。次に、受圧部５ａを通過した水流は、最初の均等板５ｂの多孔板部の全域にわたる凹みに対応した空間に入り、該多孔板部の全域にわたって広がる。こうして、受圧部５ａから出る水流が蛇口出口面積の全体にわたって略均等に振り分けられる。蛇口出口面積の全体にわたって略均等に振り分けられた水流は、均等板５ｂ（多孔板部）の全域にわたって略均等に設けられた多数の通水孔を通過し、落下する。こうして、最終的に吐き出される水流が蛇口出口一杯に広がるようにする整流効果が実現される。すなわち、節水作用によって、水流量が減少されても、蛇口出口一杯に広がるよう整流された吐出水流によって、感覚的にも視覚的にも、使用者の使用感が損なわれることがない、という優れた効果を奏する。
【００２５】
この実施例では、２枚の均等板５ｂ，5ｃが設けられている。これは、均等板による整流効果を相加的若しくは相乗的に高めるためである。すなわち、上段の均等板５ｂを通過した水流は、さらに、２段目の均等板５ｃの多孔板部の全域にわたる凹みに対応した空間に入り、該多孔板部の全域にわたって広がる。こうして、上段の均等板５ｂから出る水流が蛇口出口面積の全体にわたって更に均等に振り分けられるようにされる。こうして、蛇口出口面積の全体にわたって一層均等に振り分けられた水流は、均等板５ｃ（多孔板部）の全域にわたって略均等に設けられた多数の通水孔を通過し、落下する。こうして、最終的に吐き出される水流が蛇口出口一杯により一層均等に広がるようにする整流効果が実現される。明らかなように、２枚の均等板５ｂ，5ｃの各通水孔がそれぞれ同位置で重なったのでは、相加的若しくは相乗的な整流効果は薄れる。よって、複数枚の均等板５ｂ、５ｃを重ねて配置する場合には、各均等板５ｂ、５ｃの多孔板部に形成された複数の通水孔の位置がすべて一致することのないように、それぞれが適宜ずれた状態となるようにして配置するとよい（図３（ｂ）参照）。そのためには、各均等板５ｂ、５ｃとしてその多孔板部における通水孔の配置パターンが互いに異なるものを使用するか、あるいは同一構成の多孔板部からなる均等板を使用する場合は、通水孔の配置パターンが同位置で重ならないように適宜相対的に回転させた状態で配置すればよい。後者の配置を容易にするためには、各均等板５ｂ、５ｃ同士の周縁リム部に簡単なキー結合構造（一方にキー凹み、他方にキー突起）を設け、所定の相対的回転ずれをもたせて各均等板５ｂ、５ｃ同士を容易に積み重ねることができるようにするとよい。なお、均等板５ｂ、５ｃは、２枚重ねに限らず、１枚だけであってもよいし、あるいは３枚以上重ねてもよい。
【００２６】
なお、整流キット５を構成する受圧部５ａ及び均等板５ｂ、５ｃの数やこれらの板に形成する孔の数、あるいは各板を設定する際の各板の組み合わせ方などは上記のものに限らず、適宜のものであってよい。例えば、受圧部や均等板のそれぞれを１段又は多段構成にするなどしてよい。
【実施例４】
【００２７】
図４は、整流キット５における受圧部５ａの変形例を示す。この変形例に係る受圧部５ａ１は、図３の突出部５ａ０と略同様に円筒部１ｃの内部に嵌まり込む外径と多数の通水孔を設けて成る突出部５ａ１０を具備しており、さらにその上に突出した突出部５ａ１１を具備する。上部の突出部５ａ１１の外径は、円筒部１ｃの内径よりも十分小さく、その上部に位置する調整部３の通水孔３ａの径と同程度かそれよりも幾分大きい。また、この突出部５ａ１１に通水孔はない。この構成により、節水具１の下段の調整部３の通水孔３ａから吐き出された水流は、その直下の受圧部５ａ１の上部の突出部５ａ１１に当接し（受圧され）、該上部突出部５ａ１１の周縁を伝って、下部突出部５ａ１０の上に落下する。落下した水流は下部突出部５ａ１０の上を広がり、そこに設けられている多数の通水孔を通って落下する。こうして、前述と同様に、受圧部５ａ１の存在により、節水具１において調整された水流が減圧される。受圧部５ａ１を通過した水流は、前述と同様に、均等板５ｂ，５ｃで処理される。図４の受圧部５ａ１は、図３の受圧部５ａよりも減圧効果が高く、水流の勢いをより一層減ずるので、均等板５ｂ，５ｃの数を減らし、その代わりにメッシュ板Ｍ等で代替するようにしてもよい。
【実施例５】
【００２８】
図５は、整流キット５における受圧部５ａ１の更なる変形例を示す。この変形例に係る受圧部５ａ２は、図４の突出部５ａ１０と略同様に円筒部１ｃの内部に嵌まり込む外径と多数の通水孔を設けて成る突出部５ａ２０とその上に突出した突出部５ａ２１とを具備しており、さらにその上に突出した突出部５ａ２２を具備する。中間の突出部５ａ２１の外径は、図４の突出部５ａ１１と同様に円筒部１ｃの内径よりも十分小さく、また、それ故に通水孔は不要である。さらにその上部の突出部５ａ２２は、図３の突出部５ａ０と略同様に、円筒部１ｃの内部に略ぴたりと嵌まり込む外径と多数の通水孔を設けて成り、かつ、中央部に通水孔はない。この構成により、節水具１の下段の調整部３の通水孔３ａから吐き出された水流は、その直下の受圧部５ａ２の上部の突出部５ａ２２の中央部分に当接し（受圧され）、この突出部５ａ２２の中央部分には通水孔がないので、吐き出された水流は該中央部分に当接して周囲に広がり、そこにある多数の通水孔を通って落下し、次いで、中間の突出部５ａ２１に当接し（受圧され）該突出部５ａ２１の周縁を伝って、あるいは直接的に、下部突出部５ａ２０の上に落下する。落下した水流は下部突出部５ａ２０の上を広がり、そこに設けられている多数の通水孔を通って落下する。こうして、前述と同様に、受圧部５ａ２の存在により、節水具１において調整された水流がより一層減圧される。受圧部５ａ２を通過した水流は、前述と同様に、均等板５ｂ，５ｃで処理される。図５の受圧部５ａ２は、図３、図４の受圧部５ａ、５ａ１よりも一層減圧効果が高く、水流の勢いを更により一層減ずるので、均等板５ｂ，５ｃの数を減らし、その代わりにメッシュ板Ｍ等で代替するようにしてよい。
【００２９】
一般的に、節水具１に流入する水の水圧が増すと、調整部３の通水孔３ａから吐き出される水流も勢いを増す。そこで、整流キット５における受圧部５ａを、流入する水の水圧にあわせて上記図４又は図５に示したような受圧部５ａ１，５ａ２に適宜に取り替えて節水具１を設置するとよい。こうすると、受圧部を交換するだけで調整部３の通水孔３ａから吐き出される水流の勢いを調整することができ、どのような水圧のシングルレバー式の水栓であってもソフトな水流を得ることができるようになる。
【実施例６】
【００３０】
図３〜図５に示されたような新規かつ有用な整流キット５は、図１に示されたような節水具１に限らず、既知又は未知の他の如何なる節水具と組み合わせてもよく、その場合でも、上述したような減圧と整流（蛇口出口面積全域にわたる略均一的な水流の広がり）に関して有利な作用・効果をもたらす。
【実施例７】
【００３１】
上記各実施例では、本実施例に係る節水具１を、蛇口出口に設置するタイプの節水装置１０に適用する例、例えばシングルレバー式水栓の蛇口出口に設置する節水装置１０に適用する例について説明したが、これに限らず、該節水具１をハンドルコック式水栓用節水器あるいはシャワー用節水器などのように流路の途中に設置するタイプの節水器としても使用することができる。その場合、該節水具１の水流方向に対する上下の向きを反転して使用する。以下、この場合の実施例について図６を用いて説明する。図６は、上記節水具１をハンドルコック式水栓用節水器あるいはシャワー用節水器などのように流路の途中に設置するタイプの節水器としても使用する場合を示す側断面図である。
【００３２】
図６に示すように、本実施例に係る上述の節水具１をハンドルコック式水栓用節水器あるいはシャワー用節水器などのように流路の途中に設置するタイプの節水器として使用する場合には、シングルレバー式水栓用節水器として使用する場合とは逆に、該節水具１の上下を反対にして、フランジ４側の端部１ｂを上流寄りに配置し、該フランジ４をスパウトＺの上端に係止させ、該スパウトＺを締め付け固定するためのキャップネジ等の手段によって固定する。このように流路の途中のスパウトＺの上端に節水具１を設置するための構造は公知のものを適宜用いればよいため、その詳細は特に説明しない。
【００３３】
このように節水具１を反転して設置した状態では、絞り量を設定する通水孔３ａを設けた調整部３が上流に位置し、複数の通水孔２ａ，２ｂを設けた調整部２が下流に位置する。この構成により、上流の調整部３で絞られた水流が、下流の調整部２における複数の通水孔２ａ，２ｂ以外の個所（障害物）によって干渉／緩衝され、水流調整がなされる。これによって、上流の調整部３で絞られた水流の勢い（ジェット流）を下流の調整部２で緩衝できる。更に、下流の調整部２から円筒部１ｃの下流端部１ａまでに或る程度の距離が存在するので、この距離分の円筒内側壁が水流ガイド壁（若しくはスリーブ）６となり、整流作用を得ることができる。これによっても、調整部３において水流を絞ることによって生じるかもしれない好ましくないジェット流のような急勢な水流が蛇口から出る恐れを軽減することができる。すなわち、調整部３において絞られた水流が勢いよく飛び出すが、該飛び出した水は当該節水具１の下流寄りに形成された水流ガイド壁（若しくはスリーブ）６の壁面に衝突することから、該スリーブ６において水の整流が行われてスパウトＺ内のを水が滑らかに流れていくようになる。なお、一般に、このように流路の途中に節水具１を配置する場合は、上述のような整流キット５（図３参照）を配置しなくても、スパウトＺ等の流路の存在によって水流の整流化が図れる。しかし、スパウトＺ自体の長さが短い場合には、スパウトＺによる整流作用があまり期待できず、好ましくないジェット流が吐出されるおそれがある。しかし、本実施例のように、円筒部１ｃの下流端部１ａ寄りに水流ガイド壁（若しくはスリーブ）６を形成することにより、水流の整流化を促進することができ、短いスパウトＺを使用する場合であっても、好ましくないジェット流が吐出されるおそれを軽減できる。このように、本発明に係る節水具１はシングルレバー式水栓に用いることができるだけでなく、ハンドルコック式水栓にも用いることができるようになっている。こうしたことは、節水具１を製作する際にかかるコストを低減することができる、実際に節水具を配置する際に持ち運ぶ部材が少なくて済む、などの点で有利である。
【実施例８】
【００３４】
節水具１における調整部２，３の具体的構成は、上述したものに限らず、種々に変形可能である。図７は、節水具１の変形例を示す断面図である。図７の例では、水流絞り量を調整する調整部３が、図１のような板状（又は隔壁状）ではなく、その上の調整部２と一体的につながって漏斗状の傾斜部３ｂが形成されるような構成である。更なる変形例として、調整部２の複数の通水孔（開口）２ａ，２ｂを、水流方向に平行ではなく、適宜斜めを成して形成するようにしてよい（好ましくは調整部３側で中心寄りとなり、その反対側で外側寄りとなるような斜め方向、つまり、漏斗状の傾斜部３ｂの傾斜方向と同じ方向の斜め）。
【実施例９】
【００３５】
図８は、節水具１の更なる変形例を示す断面図である。図８の例では、調整部２の複数の通水孔２ａ，２ｂが、流路を横切る板（又は隔壁）にではなく、そのすぐ下の円筒部１ｃの壁面に形成されており、流路を横切る板（又は隔壁）そのものには通水孔がない（あるいは通水孔２ａ，２ｂの一部がここにあってもよい）。この構成では、図示で上から来る水流が調整部２の板（又は隔壁）に当接して円筒部１ｃの外側と管路の内壁との間に入り込み、円筒部１ｃの側壁面の複数の通水孔２ａ，２ｂから円筒部１ｃの内部に入り込み、調整部３の通水孔３ａを通る。このような構成の節水具１は、高い水圧を大きく柔らげるので、水圧の高い場所で使用するのに適する。
【実施例１０】
【００３６】
図３〜図５に示す節水装置１０において、受圧部５ａ，５ａ１，５ａ２を省略し、節水具１と均等板５ｃ，５ｂとで節水装置１０を構成することも可能である。そのような構成は、水圧の低い場所で使用するのに適する。
さらに、本発明に係る新規かつ有用な構成の均等板５ｃ，５ｂは、従来知られたメッシュ部Ｍの代替品として、蛇口出口にて用いることができる。メッシュ部Ｍでは五味がつまり易かったり、耐久性に乏しいなどの欠点があるが、本発明に係る均等板５ｃ，５ｂは、金属板等を多孔加工するものであるので、耐久性があり、また、メッシュのような目づまりも起こりにくい。
【図面の簡単な説明】
【００３７】
【図１（ａ）】本発明に係る節水具の一実施例を略示する斜視図。
【図１（ｂ）】同実施例に係る節水具を水流吐出口側から見た平面略図。
【図１（ｃ）】同実施例に係る節水具の縦断面図。
【図２】同節水具をシングルレバー式水栓の節水装置として適用する実施例を説明するための縦断面図。
【図３】同節水具をシングルレバー式水栓の節水装置として適用する別の実施例を説明する図であって、（ａ）は同節水装置における整流キットの一例の分解斜視図、（ｂ）は同節水装置の縦断面図。
【図４】同節水具をシングルレバー式水栓の節水装置として適用する更に別の実施例を説明する縦断面図。
【図５】同節水具をシングルレバー式水栓の節水装置として適用する更なる他の実施例を説明する縦断面図。
【図６】本発明に係る節水具をハンドルコック式水栓用節水器あるいはシャワー用節水器などのように流路の途中に設置するタイプの節水器としても使用する場合の一実施例を示す断面略図。
【図７】節水具の変形例を示す断面図。
【図８】節水具の別の変形例を示す断面図
【符号の説明】
【００３８】
１  節水具
２、３  調整部
２ａ、２ｂ、３ａ  通水孔
４  フランジ
５  整流キット
５ａ、５ａ１、５ａ２  受圧部
５ｂ、５ｃ  均等板
６  水流ガイド壁（スリーブ）
Ｃ…キャップ
Ｍ…板状メッシュ部
Ｐ…パッキン
Ｓ…水栓吐出部
Ｚ…スパウト
【図１（ａ）】
2005076273.tif 000003
【図１（ｂ）】
2005076273.tif 000004
【図１（ｃ）】
2005076273.tif 000005
【図２】
2005076273.tif 000006
【図３】
2005076273.tif 000007
【図４】
2005076273.tif 000008
【図５】
2005076273.tif 000009
【図６】
2005076273.tif 000010
【図７】
2005076273.tif 000011
【図８】
2005076273.tif 000012